(57)【要約】      （修正有）【課題】密閉性、漏電防止効果が良好で、電灯全体の保護性能が高く、使用範囲が広い、耐用年数が長い等の優位性を有するＬＥＤ照明装置を提供する。【解決手段】ＬＥＤ発光を採用し、プリント基板６とレンズ群７を含む発光モジュールと、発光モジュールに電力供給するための電源モジュール５と、ＬＥＤ発光モジュールと電源モジュールとを支持するためのハウジングモジュールとを含み、ハウジングモジュール上に電源取付部１０１が設置され、電源モジュールが電源取付部内に設置され、電源取付部内に密閉及び絶縁のための第一充填コロイドが充填され、電源モジュール全体が第一充填コロイド内に没入される。【選択図】図３
0003203703.tif 000002
【実用新案登録請求の範囲】
【請求項１】
ＬＥＤ発光を採用する発光モジュールと、前記発光モジュールに電力供給するための電源モジュールと、前記ＬＥＤ発光モジュールと前記電源モジュールを支持するためのハウジングモジュールとを含むＬＥＤ照明装置であって、
前記ハウジングモジュール上に電源取付部が設置され、
前記電源モジュールが前記電源取付部内に設置され、
前記電源取付部内に密閉及び絶縁のための第一充填コロイドが充填され、
前記電源モジュール全体が前記第一充填コロイド内に没入される、
ことを特徴とするＬＥＤ照明装置。
【請求項２】
前記電源取付部が凹溝状であって、
前記電源モジュールが前記電源取付部の凹溝内に設置され、
かつ前記電源取付部の凹溝内に前記第一充填コロイドが充満される、
ことを特徴とする請求項１に記載のＬＥＤ照明装置。
【請求項３】
前記電源取付部と前記第一充填コロイドの間に、
更に絶縁シートが設置され、
前記絶縁シートと前記電源取付部の内壁が相互に貼り合わせられる、
ことを特徴とする請求項１に記載のＬＥＤ照明装置。
【請求項４】
前記発光モジュールは組み立てられたプリント基板とレンズ群を含み、
前記組み立てられたプリント基板はプリント基板と少なくとも一個のＬＥＤを含み、
前記ＬＥＤは前記プリント基板上に溶接され、
前記プリント基板と前記ハウジングモジュールは固定的に連結され、
前記レンズ群は前記ハウジングモジュール上に固定され、
前記レンズ群と前記ハウジングモジュールの間に密閉された第一空洞が形成され、
前記組み立てられたプリント基板が前記第一空洞内に位置し、
前記レンズ群が前記ＬＥＤの配光のために用いられる、
ことを特徴とする請求項１に記載のＬＥＤ照明装置。
【請求項５】
前記レンズ群が更に少なくとも二個のクリップを含み、
前記ハウジングモジュール上の前記クリップに対応する位置にクリップ孔が設置され、
前記レンズ群上の前記クリップと前記ハウジングモジュール上の前記クリップ孔が締結される、
ことを特徴とする請求項４に記載のＬＥＤ照明装置。
【請求項６】
前記発光モジュールが更にシールリングを含み、前記レンズ群上に前記シールリングを収容する第一凹溝が設置され、
前記レンズ群は前記クリップと前記クリップ孔を締結させることによって前記シールリングを前記第一凹溝と前記ハウジングモジュールの間に圧着させる、
ことを特徴とする請求項５に記載のＬＥＤ照明装置。
【請求項７】
前記発光モジュールが更にシーリング材を含み、
前記シーリング材は前記シールリングの外周に密着させながら前記レンズ群上に塗布され、
前記レンズ群は前記クリップと前記クリップ孔を締結させることによって前記シーリング材を前記レンズ群と前記ハウジングモジュールの間に貼り付ける、
ことを特徴とする請求項６に記載のＬＥＤ照明装置。
【請求項８】
前記レンズ群上に前記シーリング材を収容する第二凹溝が設置され、前記第二凹溝は前記第一凹溝の外周に位置し、
前記シーリング材が更に前記第二凹溝の中に塗布される、
ことを特徴とする請求項７に記載のＬＥＤ照明装置。
【請求項９】
前記電源モジュールと前記発光モジュールを連結するための導線を更に含み、
前記ハウジングモジュール上に更に第一導線用孔が設置され、
前記導線が前記第一導線用孔を貫通して前記第一空洞に入り、前記組み立てられたプリント基板と連結され、
前記第一導線用孔に前記第一導線用孔を密閉するための導線密閉栓が挟み込まれるように設置され、
前記導線密閉栓上に前記第一導線用孔と連通する第二導線用孔が設置され、前記導線は前記第二導線用孔を通って前記導線密閉栓を貫通し、
前記導線密閉栓の周囲に第二充填コロイドが充填され、前記第二充填コロイドによって前記導線と前記導線密閉栓が前記ハウジングモジュール上に固定される、
ことを特徴とする請求項４に記載のＬＥＤ照明装置。
【請求項１０】
前記ハウジングモジュールがハウジング本体と取付用カバーを含み、
前記電源モジュールと前記発光モジュールがそれぞれ前記ハウジング本体の両側に設置され、
前記取付用カバーと前記ハウジング本体が固定的に連結され、
前記電源取付部位が前記ハウジング本体と前記取付用カバーによって形成される第二空間内に位置し、
前記取付用カバーが前記ＬＥＤ照明装置の取り付けのために用いられる、
ことを特徴とする請求項４に記載のＬＥＤ照明装置。
【請求項１１】
前記プリント基板と前記ハウジング本体がネジによって固定的に連結され、
前記プリント基板に少なくとも二個の取付孔が設置され、前記ハウジング本体上の前記プリント基板が設置される側とは反対の側に少なくとも二個の突起が設置され、
前記突起内に前記プリント基板の前記取付孔に対応するネジ穴が設置され、前記ハウジング本体と前記プリント基板の間の固定的な連結のために用いられる、
ことを特徴とする請求項１０に記載のＬＥＤ照明装置。
【請求項１２】
前記電源モジュールが更に前記電源モジュール上に設置される感光性エレメントを含み、
前記感光性エレメントの一部が前記第一充填コロイド内に没入されず、
前記ＬＥＤ照明装置が更に光透過モジュールを含み、前記光透過モジュールは光透過性カバーとガスケットを含み、
前記第一充填コロイドにより没入されない前記感光性エレメントの一部と前記光透過性カバーの位置は相互に対応し、前記光透過性カバーから透射される光線を受光するために用いられ、
前記光透過性カバーと前記取付用カバー上に設置された光透過性孔が固定的に連結され、
前記ガスケットが前記光透過性カバーと前記光透過性孔の間に位置し、前記光透過性カバーと前記光透過性孔間における連結の信頼性と密閉性能を増強するために用いられる、
ことを特徴とする請求項１０に記載のＬＥＤ照明装置。
【請求項１３】
前記取付用カバー上に前記ＬＥＤ照明装置を傾斜して取り付けるための取付部が設置され、
前記ハウジング本体上に排水孔が設置され、前記排水孔は、前記第二空間内における前記電源取付部の外側であって、前記ハウジング本体に近接する辺縁に位置する、
ことを特徴とする請求項１０に記載のＬＥＤ照明装置。
【考案の詳細な説明】
【技術分野】
【０００１】
本考案は照明装置の技術分野に関わるものであり、具体的にはＬＥＤ照明装置に関わるものである。
【背景技術】
【０００２】
ＬＥＤライトは省エネルギーと環境保護、発光効率の高さ、耐用年数の長さ等の特長によって、ますます広範に使用されつつあり、多数が従来の白熱灯、蛍光灯に代替する傾向にある。
【考案の概要】
【考案が解決しようとする課題】
【０００３】
ＬＥＤライトは、通常、道路、住宅、工場及び生産現場、鉱坑作業等の場所に使用されることから、ＬＥＤライトは防水、防塵、漏電防止等の特長を備える必要があり、これは即ち、比較的高い防護等級を備える必要があるということである。しかしながら従来のＬＥＤ照明装置の防護効果は決して高いとは言えず、以下に例示するような問題がある。
（１）ＬＥＤライト上の電源モジュールがハウジングの大空間内に設置されるため、水蒸気、塵埃がハウジング内に侵入すれば、電源モジュールに直接的な影響を及ぼし、電源モジュールに漏電、ショート等の現象を引き起こす；また従来技術では電源モジュールとハウジング間における絶縁処理の効果に劣り、電源モジュールの漏電時、電流をＬＥＤライトのハウジング全体に伝導するため、安全上のリスクが存在するのみならず、更に電気エネルギーの浪費も生じる；
（２）従来のＬＥＤライトにおいて、レンズとハウジング間に比較的多見される連結方法はネジを用いた連結であり、レンズ群とハウジング間にシール材を設置しても、ネジを用いた連結時の密閉性は決して高いとは言えない。具体的には、ネジを用いた連結時には、ネジ群内の各ネジを締めるに際しての締める力が均一とはならず、シール材の形状変化が不均一となることで、シール材とレンズ及びハウジング間の微小な間隙も不均一となり、これにより水蒸気が比較的大きな間隙からレンズとハウジングの間の空洞内に侵入し、レンズとハウジング間におけるＬＥＤ電球の発光性能と照明器具の耐用年数に影響を及ぼす。
【課題を解決するための手段】
【０００４】
従来技術におけるＬＥＤライトが防護性能に劣るという課題を解決するため、本考案はＬＥＤ発光を採用する発光モジュールと、発光モジュールに電力供給するための電源モジュールと、ＬＥＤ発光モジュールと電源モジュールとを支持するためのハウジングモジュールとを含み、ハウジングモジュール上に電源取付部が設置され、電源モジュールが電源取付部内に設置され、電源取付部内を密閉及び絶縁するための第一充填コロイドが充填され、電源モジュール全体が第一充填コロイド内に没入されるＬＥＤ照明装置を提供する。
【０００５】
好ましくは、前記電源取付部が凹溝状であって、電源モジュールが電源取付部の凹溝内に設置され、かつ電源取付部の凹溝内に第一充填コロイドが充満される。
【０００６】
好ましくは、電源取付部と第一充填コロイド間に更に絶縁シートが設置され、絶縁シートと電源取付部の内壁が相互に貼り合わせられる。
【０００７】
好ましくは、発光モジュールが組み立てられたプリント基板とレンズ群を含み、組み立てられたプリント基板はプリント基板と少なくとも一個のＬＥＤを含み、ＬＥＤがプリント基板上に溶接され、プリント基板とハウジングモジュールが固定的に連結され、レンズ群がハウジングモジュール上に固定され、レンズ群とハウジングモジュール間に密閉された第一空洞が形成され、組み立てられたプリント基板が第一空洞内に位置し、レンズ群がＬＥＤの配光のために用いられる。
【０００８】
好ましくは、レンズ群は更に少なくとも二個のクリップを含み、ハウジングモジュール上のクリップに対応する位置にクリップ孔が設置され、レンズ群上のクリップとハウジングモジュール上のクリップ孔が締結される。
【０００９】
好ましくは、発光モジュールが更にシールリングを含み、レンズ群上にシールリングを収容する第一凹溝が設置され、レンズ群はクリップとクリップ孔を締結させることによってシールリングを第一凹溝とハウジングモジュールの間に圧着させる。
【００１０】
好ましくは、発光モジュールが更にシーリング材を含み、シーリング材はシールリングの外周に密着させながらレンズ群上に塗布され、レンズ群はクリップとクリップ孔を締結させることによってシーリング材をレンズ群とハウジングモジュールの間に貼り付ける。
【００１１】
好ましくは、レンズ群上にシーリング材を収容する第二凹溝が設置され、第二凹溝は第一凹溝の外周に位置し、シーリング材は更に第二凹溝の中に塗布される。
【００１２】
好ましくは、電源モジュールと発光モジュールを連結するための導線を更に含み、ハウジングモジュール上に更に第一導線用孔が設置され、導線は第一導線用孔を貫通して第一空洞に入り、組み立てられたプリント基板と連結され、第一導線用孔に第一導線用孔を密閉するための導線密閉栓が挟み込まれるように設置され、導線密閉栓上に第一導線用孔と連通する第二導線用孔が設置され、導線は第二導線用孔を通って導線密閉栓を貫通し、導線密閉栓の周囲に第二充填コロイドが充填され、第二充填コロイドのよって導線と導線密閉栓がハウジングモジュール上に固定される。
【００１３】
好ましくは、ハウジングモジュールがハウジング本体と取付用カバーを含み、電源モジュールと発光モジュールがそれぞれハウジング本体の両側に設置され、取付用カバーとハウジング本体が固定的に連結され、電源取付部がハウジング本体と取付用カバーによって形成される第二空間内に位置し、取付用カバーがＬＥＤ照明装置の取り付けのために用いられる。
【００１４】
好ましくは、プリント基板とハウジング本体がネジによって固定的に連結され、プリント基板に少なくとも二個の取付孔が設置され、ハウジング本体上のプリント基板が設置される側とは反対の側に少なくとも二個の突起が設置され、突起内にプリント基板の取付孔に対応するネジ穴が設置され、ハウジング本体とプリント基板の間の固定的な連結のために使用される。
【００１５】
好ましくは、電源モジュールが更に電源モジュール上に設置される感光性エレメントを含み、感光性エレメントの一部は第一充填コロイド内に没入されず、ＬＥＤ照明装置が更に光透過モジュールを含み、光透過モジュールが光透過性カバーとガスケットを含み、前記第一充填コロイドにより没入されない前記感光性エレメントの一部と前記光透過性カバーの位置は相互に対応し、光透過性カバーから透射される光線を受光するために用いられ、光透過性カバーは取付用カバー上に設置される光透過性孔と固定的に連結され、ガスケットは光透過性カバーと光透過性孔の間に位置し、光透過性カバーと光透過性孔間における連結の信頼性と密閉性能を増強するために用いられる。
【００１６】
好ましくは、取付用カバー上にＬＥＤ照明装置を傾斜して取り付けるための取付部が設置され、ハウジング本体上に排水孔が設置され、排水孔は、第二空間内における電源取付部の外側であって、前記ハウジング本体に近接する辺縁に位置する。
【考案の効果】
【００１７】
本考案は、以上の技術手段を採用することによって、従来の技術に比べ、以下の優位性と肯定的な効果を有する。
（１）本考案が提供するＬＥＤ照明装置は、電源モジュールが電源取付部を通じてハウジングモジュール上に取り付けられ、かつ電源モジュールが電源取付部内の第一充填コロイド内に没入し、第一充填コロイドが電源モジュールの密閉、熱伝導及び絶縁の作用を発揮し、電源モジュールの防護性能と放熱効果を向上させる；
（２）本考案が提供するＬＥＤ照明装置は、電源取付部と第一充填コロイド間に絶縁シートを設置し、電源モジュールの漏電時、電流をハウジング上に伝導することに起因して生じる安全上の隠れたリスクと電力エネルギーの浪費を防止する；
（３）本考案が提供するＬＥＤ照明装置は、レンズ群とハウジングモジュールの間がクリップによって連結され、かつレンズ群とハウジングモジュールの間がシールリングとシーリング材によって多重に密閉され、該多重の密閉防護構造はＬＥＤ照明装置の防護性能を効果的に向上させる；
（４）本考案が提供するＬＥＤ照明装置は、組み立てられたプリント基板がハウジング本体上に取り付けられ、またハウジング本体上にプリント基板が設置される側とは反対の側に複数の突起が設置され、突起とハウジング本体上の取付孔、プリント基板上の取付孔が対応し；突起がハウジング本体上の取付孔の深さを増すために用いられ、これによりプリント基板とハウジング本体の間の取り付けの信頼性を保証するとともに、ハウジング本体の厚さを適度に減らし、材料の節約に寄与する。ハウジング本体の厚さを減らすことは、ハウジング本体の放熱性能を向上させることに寄与し、かつ突起はハウジング本体と空気が接触する面積を増大させるため、ハウジング本体の放熱性能を更に向上させる；
（５）本考案が提供するＬＥＤ照明装置は、光透過モジュールと感光性エレメントを設置することによって、ＬＥＤ照明装置を光線制御下において自動的に作動又は停止させ、光線充足下におけるＬＥＤ照明装置の作動を防止することができ、省エネルギーという優位性を有する。
【図面の簡単な説明】
【００１８】
本考案の上述の特徴及びその他の特徴と優位性を更に明確に理解し易くするため、以下、図面と結びつけながら詳細に説明する。
【図１】本考案が提供するＬＥＤ照明装置の立面図一である。
【図２】本考案が提供するＬＥＤ照明装置の立面図二である。
【図３】本考案が提供するＬＥＤ照明装置の分解図である。
【図４】本考案におけるハウジング本体の構造を示す図である。
【図５】本考案におけるハウジング本体の俯瞰図である。
【図６】図５のハウジング本体Ａ−Ａの断面図である。
【図７】図５のハウジング本体Ｂ−Ｂの断面図である。
【図８】本考案におけるレンズ群の構造を示す図である。
【図９】本考案が提供するＬＥＤ照明装置とフープを連結する構造を示す図である。
【考案を実施するための形態】
【００１９】
本考案の実施例を示した図を参照し、以下、本考案について更に詳細に説明する。なお本考案は数多くの異なる形態で実現することができ、ここに示す実施例による限定を受けることを意図するものではない。むしろ、充分かつ完全な開示を実現し、かつ本技術分野の技術者が本考案の範囲を完全に理解するために、これらの実施例を提示したものである。またこれらの図において、内容を明確にするため、層及びセクションのサイズ及び相対サイズを可能な限り拡大した。
【００２０】
図１−８を参照するに、本考案は、ＬＥＤ発光を採用する発光モジュールと、発光モジュールに電力供給するための電源モジュール５と、ＬＥＤ発光モジュールと電源モジュールとを支持するためのハウジングモジュールとを含み、更にハウジングモジュール上に電源取付部１０１が設置され、電源モジュール５が電源取付部１０１内に設置され、電源取付部１０１内に密閉及び絶縁のための第一充填コロイドが充填され、電源モジュール全体が第一充填コロイド内に没入するＬＥＤ照明装置を提供する。本考案では電源モジュールを電源取付部１０１内に設置し、かつ電源取付部１０１内に第一充填コロイドを充填することによって、電源モジュールの密閉を効果的に実現すると同時に、第一充填コロイドは更に絶縁、放熱の効果を発揮する。
【００２１】
更に、電源モジュール５と発光モジュールがハウジングモジュール上に設置され、ハウジングモジュールの具体的な構造形態、電源モジュール５と発光モジュールの設置位置はいずれも具体的な状況に応じて設計することができ、特に限定されるものではない。本実施例において、ハウジングモジュールはハウジング本体１を含み、以下に電源モジュール５と発光モジュールをハウジング本体１の対応する両側に設置する事例を挙げて説明する。
【００２２】
図３、４を参照するに、本実施例において、電源取付部１０１はハウジング本体１の一方の側に設置され、電源取付部１０１は凹溝状であり、電源モジュール５はネジ等の手段によって電源取付部１０１の凹溝内に取り付けられ、電源取付部１０１の凹溝内に第一充填コロイドが充填され、電源モジュール５全体が第一充填コロイド内に没入され、更に第一充填コロイドは凹溝に充満してもしなくても良く、電源モジュール５全体が第一充填コロイド内に没入されることを保証しさえすれば良い。第一充填コロイドの設置は、一面において電源モジュール５の密閉を、別の一面においては電源モジュール５の絶縁をそれぞれ実現し、電源の防護性能を向上させる。
【００２３】
更に、電源取付部１０１はハウジング本体１と一体的に製造しても良いし、単独で製造した後、ハウジング本体上に取り付けても良く、特に限定されるものではない。電源取付部１０１の具体的な構造は凹溝状に限られるわけではなく、その他実施例における電源取付部１０１は箱形構造等とすることができ、ハウジング本体１上に電源モジュール５を収容できる空間が形成されることを保証しさえすれば良く、特に限定されるものではない。
【００２４】
電源取付部１０１と第一充填コロイド間に更に絶縁シート８が設置され、絶縁シート８は主に電源モジュール５と電源取付部１０１の間の絶縁に用いられ、電源モジュール５の漏電時に電流をハウジング本体１上に伝導することを防止する。絶縁シート８の設置位置及び形状は特に限定されるものではなく、絶縁シート８が電源モジュール５の周囲を取り囲むように設置されることを保証しさえすれば良い。
【００２５】
本実施例において、好ましくは絶縁シート８が電源取付部１０１内に設置され、かつ電源取付部１０１の内壁と相互に貼り合わせられる。以下に、絶縁シート８が電源取付部１０１の凹溝の内壁上に設置される事例を挙げ、更に説明する。電源取付部１０１の凹溝の四つの内壁上に等しく絶縁シート８が設置され、また電源取付部１０１の凹溝の底面にも絶縁シート８を設置することができる。更に絶縁シート８の具体的な形状は電源取付部１０１の凹溝の内壁形状に応じて設計され、内壁が完全にカバーされるものであれば良い。また絶縁シート８と電源取付部１０１は一体的に製造しても、単独で製造した後、一体となるように取り付けても良く、特に限定されるものではない。
【００２６】
本実施例において、発光モジュールはハウジング本体１のもう一方の側に設置され、発光モジュールは組み立てられたプリント基板とレンズ群７を含む。
【００２７】
図３を参照するに、組み立てられたプリント基板はプリント基板６と少なくとも一個のＬＥＤを含み、ＬＥＤはプリント基板６上に溶接され、組み立てられたプリント基板はハウジング本体１上に固定される。プリント基板６はハウジング本体１上に密着し、ハウジング本体１上のプリント基板６が設置される側とは反対の側が外部の空気に直接的に接触し、組み立てられたプリント基板上に発生した熱量がハウジング本体１を通じて直接的に空気中に伝播され、良好な放熱効果を有する。
【００２８】
更に図３、４を参照するに、プリント基板６上に少なくとも二個の第一取付孔が設置され、ハウジング本体１上の第一取付孔に対応する位置に第二取付孔が設置され、更に第一取付孔、第二取付孔はいずれもスルーホールであり、具体的にはネジ穴又はピンホールである。ハウジング本体１上のプリント基板６が設置される側とは反対の側に少なくとも二個の突起１０３が設置され、かつ突起１０３と第二取付孔の位置が一つ一つ対応し、突起１０３内に第二取付孔と相通じる第三取付孔が設置され、更に第三取付孔はネジ穴、ピンホールとすることができる。プリント基板とハウジング本体１の間をピン、ネジによって位置決め、固定するものであり（例えば、長方形プリント基板の対角線上に二個のピンを設置し、長方形プリント基板の四角上にネジを設置する）、具体的に取り付ける時は、ネジ、ピンを順に第一取付孔、第二取付孔と第三取付孔に貫通させ、固定又は位置決めを実現する。更に第一取付孔、第二取付孔及び突起の設置数は状況に応じてこれを設定することができ、特に限定されるものではない。本考案では、ハウジング本体１上の第二取付孔の深さを増すために、複数の突起１０３を設置することによって、プリント基板６とハウジング本体１の間の取り付けの信頼性を保証すると同時に、ハウジング本体１の厚さを適度に減らし、ハウジング材料を節約する。またハウジング本体１の厚さを減らすことは、ハウジング本体１の放熱効果を向上させることに寄与し、かつ突起１０３がハウジング本体１と空気が接触する面積を増大させるため、ハウジング本体１の放熱能力を更に向上させる。
【００２９】
ハウジング本体１上に設置される突起１０３の一方の側に、更に複数の第三取付孔が設置されない突起構造を増設することができ、これらネジ穴及びピン穴が設置されない突起構造の形状は突起１０３と同じであっても異なっていても良く、複数のネジ穴とピン穴が設置されない突起構造は規則的又は不規則的にハウジング本体１上に配列される。本考案においてネジ穴とピン穴が設置されない突起構造を増設することは、一面において美観性の付与といった効果を発揮し、別の一面において、ネジ穴とピン穴が設置されない突起構造もまた同様にハウジング本体１と空気が接触する面積を増大させるため、ハウジング本体１の放熱能力を更に向上させる。
【００３０】
図３、４、８を参照するに、レンズ群７はハウジング本体１上に固定され、レンズ群７とハウジング本体１の間に密閉された第一空洞が形成され、組み立てられたプリント基板が該第一空洞内に位置し、レンズ群７はＬＥＤの配光のために用いられる。具体的には、レンズ群７上に少なくとも二個のクリップ７０１が設置され、好ましくは、クリップ７０１がレンズ群７の辺縁上に設置される。ハウジング本体１上のクリップ７０１に対応する位置にクリップ孔１０５が設置され、レンズ群７はクリップ７０１とクリップ孔１０５間を締結させることによってハウジング本体１上に固定される。ハウジング本体１とレンズ群７の間はクリップ７０１によって連結が実現し、クリップ７０１の設計を通じて、クリップ７０１とクリップ孔１０５を締結させた後、レンズ群７とハウジング本体１の間の距離をいずれの場所においても等しくさせることができる。その他実施例におけるレンズ群７とハウジング本体１の間の連結方法はクリップによる連結方法に限定されるものではなく、ネジを用いる等の他の方法によって連結を行うことができることは言うまでもなく、特に限定されるものではない。
【００３１】
発光モジュールは更にシールリング１４を含み、レンズ群７上にシールリング１４を収容する第一凹溝７０２が設置され、レンズ群７はクリップ７０１とクリップ孔１０５によって締結され、シールリング１４を第一凹溝７０２とハウジング本体１の間に圧着し、シールリング１４はレンズ群７とハウジング本体１の間の密閉を実現し、第一空洞の密閉を実現する。ハウジング本体１とレンズ群７の間は、まずシールリング１４によって密閉し、シールリング１４自体が弾性を備えることから、ハウジング本体１とレンズ群７を締結するに際してはシールリング１４を圧着し、シールリング１４に均一な変更を発生させ、密閉を実現することができる。またクリップ７０１をハウジング本体１上のクリップ孔１０５内に取り付けるに際し、全てのクリップ７０１を同時にレンズ群７上に取り付けることによって、クリップ７０１をレンズ群７上に相前後して取り付ける場合に生じるシールリングの移動を防止し、更に最終的にシールリング１４の変形が不均一になることに起因する密閉効果の消滅又は密閉性能の低下の発生を防止することができる。第一凹溝７０２の設置はシールリング１４の取り付け及び位置決めに寄与し、レンズ群７上に設置されるシールリング１４は移動することなく、クリップ７０１とクリップ孔１０５を締結するに際して、シールリング１４内の変形は均一となり、密閉性能を更に向上させることができる。
【００３２】
発光モジュールは更にシーリング材を含み、シーリング材はシールリング１４の外周に密着させながらレンズ群７上に塗布され、レンズ群７はクリップ７０１とクリップ孔１０５を締結させることによってシーリング材をレンズ群７とハウジング本体１の間に貼り付ける。具体的には、レンズ群７上にシーリング材を収容する第二凹溝７０３が設置され、第二凹溝７０３は第一凹溝７０２の外周に位置し、シーリング材は更に第二凹溝７０３中にも塗布される。本考案はシーリング材を追加的に設置することによって、レンズ群７とハウジング本体１の間の密閉性を更に高めるものである。またシールリング１４の外側にシーリング材を設置し、機密性能を更に高めるものである。具体的には、シーリング材は凝固する前は液体であり、シールリング１４の周囲において流動しつつ、シールリング１４とレンズ群７及びハウジング本体１の間の微小な間隙内に浸入できることから、機密性能を更に高めることができる。この他、シーリング材はレンズ群７に押し出され、シールリング１４とレンズ群７及びハウジング本体１の間の間隙内に更に容易に浸入し、密閉効果を更に強化することができる。またシーリング材は第二凹溝７０３内に設置され、第二凹溝７０３は主にシーリング材の塗布に寄与するように設置され、効率を上げ、廃品率を低下させる。
【００３３】
本考案は、クリップによる連結、シールリング１４とシーリング材を採用することによって、ハウジング本体１とレンズ群７間の多重の密閉防護を実現し、ＬＥＤ照明装置の密閉、防護性能を効果的に向上させる。
【００３４】
ハウジング本体１とレンズ群７の間はシールリング１４を単独で設置することによって密閉することができ、ハウジング本体１とレンズ群７の間はシーリング材を単独で設置することによって密閉することもでき、またシールリングとシーリング材を同時に設置して密閉することもできることは言うまでもなく、これら状況下においては、シーリング材を第二凹溝７０３を通じて設置することも、シーリング材をシールリング１４上に直接塗布することもできる。上述のハウジング本体１とレンズ群７の間の各種密閉状況については、選択的に設置することができ、またハウジング本体１とレンズ群７の間にその他形態の密閉を採用することもでき、特に限定されるものではない。
【００３５】
本実施例において、電源モジュール５と発光モジュールの間は導線によって接続される。図３、４、５、６を参照するに、ハウジング本体１上に第一導線用孔１０２が設置され、電源モジュール５上に引き出された導線は、電源モジュール５と電源取付部１０１の間の第一充填コロイドを貫通した後、第一導線用孔１０２を貫通して組み立てられたプリント基板と接続される。第一導線用孔１０２には更に第一導線用孔１０２を密閉するための導線密閉栓９が挟み込まれるように設置され、導線密閉栓９上に第一導線用孔１０２と連通する第二導線用孔が設置され、導線は第二導線用孔を通って導線密閉栓９を貫通する。導線密閉栓９の周囲には更に第二充填コロイドが充填され、第二充填コロイドは導線密閉栓９の周囲を密閉するために用いられ、これにより第一導線用孔１０２の密閉が強化され、第一空洞の密閉も強化される。
【００３６】
更に、図３を参照するに、ハウジングモジュールが更に取付用カバー２を含み、取付用カバー２はハウジング本体１上に取り付けられ、かつ取付用カバー２とハウジング本体１の間に第二空間が形成され、電源取付部１０１、電源モジュール５はいずれも第二空間内に設置される。
【００３７】
取付用カバー２上に更に光透過モジュールが設置され、電源モジュール５上に感光性エレメント１０が設置され、感光性エレメント１０の一部は第一充填コロイドに伸長し、光透過モジュールと向かい合い、外界の光線は光透過モジュールを通じて感光性エレメント１０上に投射され、感光性エレメント１０は感光した後、ＬＥＤ照明装置の作動又は停止を制御する。本考案では、光透過モジュールと感光性エレメント１０を設置することによって、ＬＥＤ照明装置を光線制御下において自動的に作動又は停止させ、光線充足下におけるＬＥＤ照明装置の作動を防止することができ、省エネルギーという優位性を有することができる。
【００３８】
具体的には、光透過モジュールは光透過性カバー１１とガスケット１２を含み、取付用カバー２上に光透過性孔が設置され、光透過性カバー１１はネジ等の手段によって光透過性孔に固定され、かつ光透過性カバー１１は感光性エレメント１０の第一充填コロイドに伸長する一部と向かい合い、光線は光透過性カバー１１を通じて感光性エレメント１０上に投射される。ガスケット１２は光透過性カバー１１と光透過性孔の間に位置し、ガスケット１２は光透過性カバー１１と光透過性孔の間における連結の信頼性と密閉性能を増強するために用いられる。更に、ガスケット１２はシリコーンゴム等の材料を用いて製造することができ、特に限定されるものではない。
【００３９】
光透過性カバー１１は図３に示すような透明キャップ状部材とすることができ、その下端の側面上にネジ山が設置され、光透過性カバー１１は光透過性孔内にネジ締めされる。光透過性カバー１１の具体的な構造は図３に示すものに限定されないことは言うまでもなく、光透過性カバー１１の具体的構造、光透過性カバー１１と光透過性孔間の連結方法は、いずれも具体的な状況に応じてこれを設定することができ、特に限定されるものではない。
【００４０】
本実施例では、取付用カバー２は更にＬＥＤ照明装置の取り付けのために用いられ、取付用カバー２上に取付部が設置され、ＬＥＤ照明装置は取付部を通じて水平面に対して傾斜的にポール等の取り付け目標位置に取り付けられる。具体的には、取付部は二枚の取付板４を含み、二枚の取付板４は相互に平行かつ垂直に取付用カバー２の外表面上に設置される。二枚の取付板４上にそれぞれ取付長孔４０１が設置され、取付長孔４０１は具体的には長方形等とすることができ、特に限定されるものではない。取付長孔４０１はハウジング本体１の所在する平面に対して傾斜し、かつ取付長孔４０１はポール又は取り付け目標位置の一方の側に向かって傾斜する。図９に示す通り、取付部はフープ１５を通じてポールに連結され、一本又は複数のフープ１５は二枚の取付板４上の取付長孔を貫通した後、更にポールに緊密に巻き付けられて固定され、取付長孔４０１が傾斜状を呈することから、ＬＥＤ照明装置の電灯全体を傾斜して取り付けることができる。その他実施例において、取付部の構造は上述のものに限定されず、具体的な状況に応じてこれを選択することができ、例えば、取付板４上に更に取付長孔４０１の傾斜方向に一致する取付孔４０２を設置し、該取付孔４０２を通じてＬＥＤライトを壁面上に固定することができる。
【００４１】
ＬＥＤ照明装置ハウジングの排水の利便性を図るため、本考案は更にハウジング本体１上に排水孔１０４が設置される。具体的には排水孔１０４は第二空間内における電源取付部１０１外側であって、ハウジング本体１に近接する辺縁に位置する。排水孔１０４の位置もまた具体的な状況に応じて、適切に調製できることは言うまでもなく、特に限定されるものではない。本考案におけるＬＥＤ照明装置を傾斜的に取り付けた後、排水孔を設置することで、ハウジングモジュール内部に浸漬した水が自身の重力作用によって排水孔１０４から排出され、水の浸漬によるＬＥＤ照明装置の破損を効果的に低減する。
【００４２】
更に、図１、２、３を参照するに、ハウジングモジュールが更に装飾カバー３を含み、装飾カバー３はハウジング本体１上に設置され、かつ装飾カバー３と取付用カバー２はハウジング本体１と同じ一方の側に位置し、装飾カバー３はネジ等の手段によってハウジング本体１上に取り付けられ、かつ装飾カバー３の取付用カバー２と向かい合う一方の側がネジ等の手段によって取付用カバー２と固定的に連結され、ハウジング本体１、装飾カバー３と取付用カバー２がＬＥＤ照明装置の電灯全体のハウジングを構成する。更に、装飾カバー３の設置位置と発光モジュールの設置位置とは対応し、装飾カバー３上に大開口部が形成されることによって、装飾カバー３全体が環状構造を呈する。開口部の位置と組み立てられたプリント基板の位置は向かい合い、更に開口部はハウジング本体１上の突起１０３を空気中に直接暴露させ、ハウジング本体１の放熱に寄与する。本考案は、装飾カバー３を設置することによって、ＬＥＤ照明装置の美観性の付与という効果を保証すると同時に、開口部を形成することによって電灯全体の放熱効果を保証する。装飾カバー３の具体的な構造や形態は図１、２、３に示すものに限定されず、具体的な状況に応じて調整できることは言うまでもない。
【００４３】
以上をまとめると、本考案が提供するＬＥＤ照明装置は、電源モジュール、発光モジュールの密閉性が良好である、漏電防止効果が良好である、ＬＥＤ照明装置の電灯全体の保護性能が高い、使用範囲が広い、使用耐用年数が長い等の優位性を有すると同時に、電灯全体の放熱効果が良好であるという優位性をも有する。
【００４４】
本考案は、本考案の精神と範囲を逸脱することなく、その他数多くの具体的な形態で実現できることは本技術分野の技術者にとって言うまでもない。以上、本考案の実施例について説明したが、本考案は上述の実施例に限定されるものではなく、請求の範囲において画定された趣旨と範囲を逸脱することなく、種々の変更、改良が可能であることは本技術分野の技術者にとって自明である。
【符号の説明】
【００４５】
１    ハウジング本体
１０１    電源取付部
１０２    第一導線用孔
１０３    突起
１０４    排水孔
１０５    クリップ孔
２    取付用カバー
３    装飾カバー
４    取付板
４０１    取付長孔
４０２    取付孔
５    電源モジュール
６    プリント基板
７    レンズ群
７０１    クリップ
７０２    第一凹溝
７０３    第二凹溝
８    絶縁シート
９    導線密閉栓
１０    感光性エレメント
１１    光透過性カバー
１２    ガスケット
１３    ケーブル通過クリップ
１４    シールリング
１５    フープ
【図１】
0003203703.tif 000003
【図２】
0003203703.tif 000004
【図３】
0003203703.tif 000005
【図４】
0003203703.tif 000006
【図５】
0003203703.tif 000007
【図６】
0003203703.tif 000008
【図７】
0003203703.tif 000009
【図８】
0003203703.tif 000010
【図９】
0003203703.tif 000011